(57)【要約】【課題】  セキュリティを高く維持して消費電力の節約を図りつつ、近距離無線通信における接続動作をスムーズに行う。【解決手段】  接続を要求する端末Ａが、接続相手となる端末Ｂ、Ｃの識別情報を含んだ通信要求を管理サーバ３０に送信すると（Ｓ１０１）、管理サーバ３０が端末Ａ、Ｂ、Ｃの位置情報を位置情報サーバ４０から取得し（Ｓ１０２、Ｓ１０３）、当該位置情報に基づいて端末Ａと端末Ｂ、Ｃとが同一エリア内に位置するか否かを判断する。ここで、同一エリア内の場合、管理サーバ３０は、端末Ｂ、Ｃをブルートゥース通信可能状態に変更させるための制御信号を当該端末Ｂ、Ｃに送信し（Ｓ１０５、Ｓ１０９）、当該端末Ｂ、Ｃを強制的にブルートゥース通信可能状態とする。【選択図】  図３
2005223636.tif 000002
【特許請求の範囲】
【請求項１】
近距離無線通信及び移動体通信網を介した移動体通信を行う機能を備えた複数の移動機間の通信を制御する管理サーバであって、
前記移動機が他の移動機との接続を要求する場合に送信する、接続相手となる相手先移動機の識別情報を含んだ近距離無線通信要求を受信する要求受信手段と、
受信した近距離無線通信要求に基づいて、要求元移動機及び相手先移動機の位置情報を抽出する位置抽出手段と、
抽出で得られた要求元移動機の位置と相手先移動機の位置との位置関係が所定条件を満たすか否かを判断する判断手段と、
前記位置関係が所定条件を満たす場合、相手先移動機を近距離無線通信可能状態に変更させる制御信号を当該相手先移動機に送信する制御信号送信手段と、
を備えた管理サーバ。
【請求項２】
前記制御信号送信手段は、前記制御信号の送信とともに、相手先移動機に対し接続要求するよう要求元移動機に指示し、当該要求元移動機からの接続要求の要求待ちを行うよう相手先移動機に指示する、
ことを特徴とする請求項１に記載の管理サーバ。
【請求項３】
前記制御信号送信手段は、前記制御信号の送信とともに、要求元移動機に対し接続要求するよう相手先移動機に指示し、当該相手先移動機からの接続要求の要求待ちを行うよう要求元移動機に指示する、
ことを特徴とする請求項１に記載の管理サーバ。
【請求項４】
前記制御信号送信手段は、要求元移動機と相手先移動機との間の接続認証用のキー情報を要求元移動機及び相手先移動機に送信する、
ことを特徴とする請求項１〜３の何れか１項に記載の管理サーバ。
【請求項５】
前記要求受信手段は、要求元移動機と相手先移動機との間の接続認証用のキー情報を要求元移動機から受信し、
前記制御信号送信手段は、受信されたキー情報を相手先移動機に送信する、
ことを特徴とする請求項１〜４の何れか１項に記載の管理サーバ。
【請求項６】
前記位置抽出手段は、移動体通信網の位置情報サーバから要求元移動機及び相手先移動機のエリア情報を取得することにより、当該要求元移動機及び相手先移動機の位置情報を抽出する、
ことを特徴とする請求項１〜５の何れか１項に記載の管理サーバ。
【請求項７】
前記位置抽出手段は、要求元移動機及び相手先移動機の各々から自機のエリア情報を取得することにより、当該要求元移動機及び相手先移動機の位置情報を抽出する、
ことを特徴とする請求項１〜５の何れか１項に記載の管理サーバ。
【請求項８】
前記位置抽出手段は、要求元移動機及び相手先移動機の各々から自機のＧＰＳ位置情報を取得することにより、当該要求元移動機及び相手先移動機の位置情報を抽出する、
ことを特徴とする請求項１〜５の何れか１項に記載の管理サーバ。
【請求項９】
近距離無線通信及び移動体通信網を介した移動体通信を行う機能を備えた移動機であって、
他の移動機との接続を要求する場合に、接続相手となる相手先移動機の識別情報を含んだ近距離無線通信要求を、移動機間通信を制御する管理サーバに送信する要求送信手段を備えた移動機。
【請求項１０】
前記要求送信手段は、実行予定のアプリケーション情報を管理サーバ経由で相手先移動機に送信することを特徴とし、
当該移動機は、
自機が相手先移動機となった場合に受信したアプリケーション情報に対応するアプリケーションを保有しているか否かを判断する保有判断手段と、
自機が当該アプリケーションを保有していない場合に、当該アプリケーションを所定のアプリケーションサーバからダウンロードするダウンロード手段とをさらに備えた
ことを特徴とする請求項９に記載の移動機。
【請求項１１】
近距離無線通信及び移動体通信網を介した移動体通信を行う機能を備えた複数の移動機と、前記移動機間の通信を制御する管理サーバとを含んで構成された通信システムであって、
前記移動機は、
他の移動機との接続を要求する場合、接続相手となる相手先移動機の識別情報を含んだ近距離無線通信要求を前記管理サーバに送信する要求送信手段を備え、
前記管理サーバは、
移動機からの近距離無線通信要求を受信する要求受信手段と、
受信した近距離無線通信要求に基づいて、要求元移動機及び相手先移動機の位置情報を抽出する位置抽出手段と、
抽出で得られた要求元移動機の位置と相手先移動機の位置との位置関係が所定条件を満たすか否かを判断する判断手段と、
前記位置関係が所定条件を満たす場合、相手先移動機を近距離無線通信可能状態に変更させる制御信号を当該相手先移動機に送信する制御信号送信手段とを備えた、
ことを特徴とする通信システム。
【請求項１２】
近距離無線通信及び移動体通信網を介した移動体通信を行う機能を備えた複数の移動機と、前記移動機間の通信を制御する管理サーバとを含んで構成された通信システムにおける前記移動機間の接続に関する通信制御方法であって、
接続を要求する要求元移動機が、接続相手となる相手先移動機の識別情報を含んだ近距離無線通信要求を前記管理サーバに送信する要求送信ステップと、
前記近距離無線通信要求を受信した管理サーバが、前記要求元移動機及び前記相手先移動機の位置情報を抽出する位置抽出ステップと、
前記管理サーバが、抽出で得られた前記要求元移動機の位置と前記相手先移動機の位置との位置関係が所定条件を満たすか否かを判断する判断ステップと、
前記位置関係が所定条件を満たす場合、前記管理サーバが、前記相手先移動機を近距離無線通信可能状態に変更させる制御信号を当該相手先移動機に送信する制御信号送信ステップと、
を有する通信制御方法。
【請求項１３】
近距離無線通信及び移動体通信網を介した移動体通信を行う機能を備えた複数の移動機間の通信を制御する管理サーバにおける通信制御方法であって、
前記移動機が他の移動機との接続を要求する場合に送信する、接続相手となる相手先移動機の識別情報を含んだ近距離無線通信要求を受信する要求受信ステップと、
受信した近距離無線通信要求に基づいて、要求元移動機及び相手先移動機の位置情報を抽出する位置抽出ステップと、
抽出で得られた要求元移動機の位置と相手先移動機の位置との位置関係が所定条件を満たすか否かを判断する判断ステップと、
前記位置関係が所定条件を満たす場合、相手先移動機を近距離無線通信可能状態に変更させる制御信号を当該相手先移動機に送信する制御信号送信ステップと、
を有する通信制御方法。
【発明の詳細な説明】
【技術分野】
【０００１】
本発明は、近距離無線通信及び移動体通信網を介した移動体通信を行う機能を備えた移動機間の通信を制御する管理サーバ、当該移動機、当該管理サーバと移動機とを含んで構成された通信システム、当該通信システムにおける移動機間の接続に関する通信制御方法、及び、当該管理サーバにおける通信制御方法に関する。
【背景技術】
【０００２】
近年、ブルートゥース等の近距離無線通信に関するさまざまな技術が提案されている。例えば、以下の特許文献１には、近距離無線通信システムから遠距離無線通信システム（例えば携帯電話網）を介してユーザの認証情報が信販会社へ送信され、信販会社にて決済を行う技術が提案されている。
【特許文献１】特開２００２−９２１４０号公報
【発明の開示】
【発明が解決しようとする課題】
【０００３】
しかし、ブルートゥース等の近距離無線通信には、改善すべき問題点も多い。例えば、ブルートゥース通信では、相手先移動機がブルートゥース通信機能をオフにしていると、要求元移動機から何度繰り返し接続要求を送信しても、相手先移動機は何の応答もできず、要求元移動機にとっては、むだな要求を繰り返すこととなる。
【０００４】
そのため、各移動機において、いつでもブルートゥース通信要求を受け付けられるように、ブルートゥース通信機能を常にオンにしていると、無駄な電力を多く消費することとなってしまう。また、ブルートゥース通信用のポートを常にオンにしていると、あらゆる要求元端末からのブルートゥース通信接続を許すことにもなりかねず、セキュリティを高く維持することが困難となる。
【０００５】
本発明は、上記課題を解決するために成されたものであり、セキュリティを高く維持して消費電力の節約を図りつつ、近距離無線通信における接続動作をスムーズに行うことができる管理サーバ、移動機、通信システム及び通信制御方法を提供することを目的とする。
【課題を解決するための手段】
【０００６】
上記目的を達成するために、本発明に係る管理サーバは、請求項１に記載したように、近距離無線通信及び移動体通信網を介した移動体通信を行う機能を備えた複数の移動機間の通信を制御する管理サーバであって、前記移動機が他の移動機との接続を要求する場合に送信する、接続相手となる相手先移動機の識別情報を含んだ近距離無線通信要求を受信する要求受信手段と、受信した近距離無線通信要求に基づいて、要求元移動機及び相手先移動機の位置情報を抽出する位置抽出手段と、抽出で得られた要求元移動機の位置と相手先移動機の位置との位置関係が所定条件を満たすか否かを判断する判断手段と、前記位置関係が所定条件を満たす場合、相手先移動機を近距離無線通信可能状態に変更させる制御信号を当該相手先移動機に送信する制御信号送信手段とを備えたことを特徴とする。
【０００７】
上記の管理サーバでは、要求受信手段が、接続を要求する移動機から送信された、接続相手となる相手先移動機の識別情報を含んだ近距離無線通信要求を受信すると、位置抽出手段が、受信した近距離無線通信要求に基づいて、要求元移動機及び相手先移動機の位置情報を抽出し、そして、判断手段が、抽出で得られた要求元移動機の位置と相手先移動機の位置との位置関係が所定条件を満たすか否かを判断する。ここで、位置関係が所定条件を満たす場合、制御信号送信手段が、相手先移動機を近距離無線通信可能状態に変更させる制御信号を当該相手先移動機に送信する。
【０００８】
これにより、要求元移動機が接続要求した時点で相手先移動機が近距離無線通信可能状態でなくとも、要求元移動機の位置と相手先移動機の位置との位置関係が所定条件を満たす場合には、相手先移動機を近距離無線通信可能状態に変更させる制御信号が、管理サーバから当該相手先移動機に送信されるため、相手先移動機は当該制御信号を受信することで近距離無線通信可能状態に変わる。このため、要求元移動機と相手先移動機間で近距離無線通信における接続動作をするために、相手先移動機を常時、近距離無線通信可能状態にしておく必要はなくなる。よって、移動機におけるセキュリティを高く維持して消費電力の節約を図りつつ、近距離無線通信における接続動作をスムーズに行うことができる。
【０００９】
なお、相手先移動機が上記制御信号を受信した後は、要求元移動機と相手先移動機のうちどちらからでも、接続要求を相手方に送信してもよい。
【００１０】
即ち、上記の制御信号送信手段は、請求項２に記載したように、制御信号の送信とともに、相手先移動機に対し接続要求するよう要求元移動機に指示し、当該要求元移動機からの接続要求の要求待ちを行うよう相手先移動機に指示する構成としてもよいし、請求項３に記載したように、制御信号の送信とともに、要求元移動機に対し接続要求するよう相手先移動機に指示し、当該相手先移動機からの接続要求の要求待ちを行うよう要求元移動機に指示する構成としてもよい。
【００１１】
ところで、本発明に係る管理サーバでは、セキュリティをより高く維持するために、制御信号送信手段は、請求項４に記載したように、要求元移動機と相手先移動機との間の接続認証用のキー情報を要求元移動機及び相手先移動機に送信する態様とすることが望ましい。
【００１２】
同じく、セキュリティをより高く維持するために、請求項５に記載したように、要求受信手段は、要求元移動機と相手先移動機との間の接続認証用のキー情報を要求元移動機から受信し、制御信号送信手段は、受信されたキー情報を相手先移動機に送信する態様とすることが望ましい。
【００１３】
また、管理サーバにおける位置抽出手段は、以下のような態様を採用しうる。即ち、請求項６に記載したように、位置抽出手段は、移動体通信網の位置情報サーバから要求元移動機及び相手先移動機のエリア情報を取得することにより、当該要求元移動機及び相手先移動機の位置情報を抽出する態様を採用してもよい。
【００１４】
また、請求項７に記載したように、位置抽出手段は、要求元移動機及び相手先移動機の各々から自機のエリア情報を取得することにより、当該要求元移動機及び相手先移動機の位置情報を抽出する態様を採用してもよい。
【００１５】
更に、請求項８に記載したように、位置抽出手段は、要求元移動機及び相手先移動機の各々から自機のＧＰＳ位置情報を取得することにより、当該要求元移動機及び相手先移動機の位置情報を抽出する態様を採用してもよい。
【００１６】
本発明は、上記のように管理サーバの発明として記述できる他に、以下のように、移動機の発明、通信システムの発明及び通信制御方法の発明としても記述することができる。
【００１７】
即ち、請求項９に記載したように、本発明に係る移動機は、近距離無線通信及び移動体通信網を介した移動体通信を行う機能を備えた移動機であって、
他の移動機との接続を要求する場合に、接続相手となる相手先移動機の識別情報を含んだ近距離無線通信要求を、移動機間通信を制御する管理サーバに送信する要求送信手段を備えたことを特徴とする。
【００１８】
ところで、要求元移動機と相手先移動機の間で共通のアプリケーションを実行する際には、請求項１０に記載したように、要求送信手段は、実行予定のアプリケーション情報を管理サーバ経由で相手先移動機に送信することを特徴とし、当該移動機は、自機が相手先移動機となった場合に受信したアプリケーション情報に対応するアプリケーションを保有しているか否かを判断する保有判断手段と、自機が当該アプリケーションを保有していない場合に、当該アプリケーションを所定のアプリケーションサーバからダウンロードするダウンロード手段とをさらに備えたことを特徴とする。
【００１９】
本発明に係る通信システムは、請求項１１に記載したように、近距離無線通信及び移動体通信網を介した移動体通信を行う機能を備えた複数の移動機と、前記移動機間の通信を制御する管理サーバとを含んで構成された通信システムであって、前記移動機は、他の移動機との接続を要求する場合、接続相手となる相手先移動機の識別情報を含んだ近距離無線通信要求を前記管理サーバに送信する要求送信手段を備え、前記管理サーバは、移動機からの近距離無線通信要求を受信する要求受信手段と、受信した近距離無線通信要求に基づいて、要求元移動機及び相手先移動機の位置情報を抽出する位置抽出手段と、抽出で得られた要求元移動機の位置と相手先移動機の位置との位置関係が所定条件を満たすか否かを判断する判断手段と、前記位置関係が所定条件を満たす場合、相手先移動機を近距離無線通信可能状態に変更させる制御信号を当該相手先移動機に送信する制御信号送信手段とを備えたことを特徴とする。
【００２０】
本発明に係る通信制御方法は、請求項１２に記載したように、近距離無線通信及び移動体通信網を介した移動体通信を行う機能を備えた複数の移動機と、前記移動機間の通信を制御する管理サーバとを含んで構成された通信システムにおける前記移動機間の接続に関する通信制御方法であって、接続を要求する要求元移動機が、接続相手となる相手先移動機の識別情報を含んだ近距離無線通信要求を前記管理サーバに送信する要求送信ステップと、前記近距離無線通信要求を受信した管理サーバが、前記要求元移動機及び前記相手先移動機の位置情報を抽出する位置抽出ステップと、前記管理サーバが、抽出で得られた前記要求元移動機の位置と前記相手先移動機の位置との位置関係が所定条件を満たすか否かを判断する判断ステップと、前記位置関係が所定条件を満たす場合、前記管理サーバが、前記相手先移動機を近距離無線通信可能状態に変更させる制御信号を当該相手先移動機に送信する制御信号送信ステップとを有することを特徴とする。
【００２１】
ところで、要求元移動機と相手先移動機の位置関係が所定条件を満たす場合であっても、要求元移動機と相手先移動機間の接続が失敗することもありうる。かかる場合を考慮して、上記の通信制御方法では、制御信号送信ステップの後、管理サーバが、要求元移動機と相手先移動機間の接続が失敗した旨の通知を要求元移動機又は相手先移動機から受信した場合、第１の例外処理ステップにて、相手先移動機が要求元移動機との間で近距離無線通信を実施可能な領域範囲内に位置していないと判断し、所定の例外処理を行うことが望ましい。
【００２２】
同様に、判断ステップで位置関係が所定条件を満たさないと判断された場合も、管理サーバが第２の例外処理ステップにて所定の例外処理を行うことが望ましい。
【００２３】
上記所定の例外処理については、要求送信ステップで要求元移動機が管理サーバに所定の例外処理の内容情報を送信し、第１の例外処理ステップ又は第２の例外処理ステップにおいて管理サーバが当該例外処理の内容情報に基づいて所定の例外処理を行うことが望ましい。
【００２４】
ここでの所定の例外処理としては、要求元移動機と相手先移動機とがＩＰ網で接続するよう要求元移動機及び相手先移動機に指示する処理、又は要求元移動機と相手先移動機間の接続を中止するよう要求元移動機及び相手先移動機に指示する処理を採用することができる。
【００２５】
本発明に係る通信制御方法は、請求項１３に記載したように、近距離無線通信及び移動体通信網を介した移動体通信を行う機能を備えた複数の移動機間の通信を制御する管理サーバにおける通信制御方法であって、前記移動機が他の移動機との接続を要求する場合に送信する、接続相手となる相手先移動機の識別情報を含んだ近距離無線通信要求を受信する要求受信ステップと、受信した近距離無線通信要求に基づいて、要求元移動機及び相手先移動機の位置情報を抽出する位置抽出ステップと、抽出で得られた要求元移動機の位置と相手先移動機の位置との位置関係が所定条件を満たすか否かを判断する判断ステップと、前記位置関係が所定条件を満たす場合、相手先移動機を近距離無線通信可能状態に変更させる制御信号を当該相手先移動機に送信する制御信号送信ステップとを有することを特徴とする。
【発明の効果】
【００２６】
以上説明したように、本発明によれば、要求元移動機が接続要求した時点で相手先移動機が近距離無線通信可能状態でなくとも、要求元移動機の位置と相手先移動機の位置との位置関係が所定条件を満たす場合には、相手先移動機を近距離無線通信可能状態に変更させる制御信号が、管理サーバから当該相手先移動機に送信されるため、相手先移動機は当該制御信号を受信することで近距離無線通信可能状態に変わる。このため、要求元移動機と相手先移動機間で近距離無線通信における接続動作をするために、相手先移動機を常時、近距離無線通信可能状態にしておく必要はなくなる。よって、移動機におけるセキュリティを高く維持して消費電力の節約を図りつつ、近距離無線通信における接続動作をスムーズに行うことができる。
【発明を実施するための最良の形態】
【００２７】
以下、本発明に関する各種の実施形態について説明する。
【００２８】
まず、下記の各実施形態で共通する図１の通信システム１の構成、並びに図２の移動機１０及び管理サーバ３０の構成を説明する。
【００２９】
図１に示すように、下記の各実施形態における通信システム１は、複数の移動機１０Ａ、１０Ｂ、１０Ｃ、１０Ｄ、１０Ｅ（以下「移動機１０」と総称する）と、移動機１０同士の通信接続等を制御する管理サーバ３０と、移動体通信網における各移動機１０の位置登録情報を管理する位置情報サーバ４０と、管理サーバ３０及び位置情報サーバ４０のそれぞれに接続され管理サーバ３０及び位置情報サーバ４０と移動機１０との通信を中継する基地局５０Ａ、５０Ｂとを含んで構成されている。
【００３０】
基地局５０ＡはセルＣ１を形成し、このセルＣ１には移動機１０Ａ、１０Ｂ、１０Ｃ、１０Ｄが在圏している。基地局５０ＢはセルＣ２を形成し、このセルＣ２には移動機１０Ｅが在圏している。なお、セルＣ１、Ｃ２は移動体通信網においては別のエリアに属するものとする。よって、図１において、移動機１０Ａ、１０Ｂ、１０Ｃ、１０Ｄは同じエリアに属するが、移動機１０Ｅはこれらとは別のエリアに属する。
【００３１】
また、以下の実施形態では移動機１０Ａが要求元移動機である場合について説明するが、移動機１０Ａを中心とする、ブルートゥース規格に基づく通信（以下「ブルートゥース通信」という）を実行可能な領域を図１の領域Ｂで表す。この領域Ｂ内には、移動機１０Ｂ、１０Ｃが位置しているが、移動機１０Ｄは領域Ｂの外側に位置している。
【００３２】
図２に示すように、移動機１０は、近隣の他の移動機とブルートゥース通信を行う近距離無線通信部１１と、移動体通信網を介した移動体通信を行う移動体通信部１２と、他の移動機とのブルートゥース通信の接続を要求する場合、接続相手となる相手先移動機の識別情報及び自機（即ち、要求元移動機）のブルートゥース通信におけるアドレス（以下「ＢＤアドレス」という）を含んだブルートゥース通信要求を管理サーバ３０に送信する要求送信部１３と、要求元移動機から管理サーバ３０を介して実行予定のアプリケーション情報が通知された場合、自機が当該アプリケーションを保有しているか否かを判断する保有判断部１４と、自機が当該アプリケーションを保有していない場合に、当該アプリケーションを移動体通信網内の所定のアプリケーションサーバ（不図示）からダウンロードするダウンロード部１５と、操作ボタン等の入力部１６と、ＬＣＤ（Liquid Crystal Display）やＥＬ（Electro Luminescence）等の表示部１７と、マイクやスピーカ等の音声処理部１８と、ダウンロードされたアプリケーションプログラムや電話帳情報等を記憶するための記憶部１９と、ＧＰＳ（Global Positioning System：全地球測位システム）により自機の位置を測定する位置測定部２０とを含んで構成されている。
【００３３】
管理サーバ３０は、移動機１０からのブルートゥース通信要求を受信する要求受信部３１と、受信したブルートゥース通信要求に基づいて、要求元移動機及び相手先移動機の位置情報を抽出する位置抽出部３２と、抽出で得られた要求元移動機の位置と相手先移動機の位置との位置関係が所定条件を満たすか否かを判断する判断部３３と、位置関係が所定条件を満たす場合、相手先移動機をブルートゥース通信可能状態に変更させる制御信号を当該相手先移動機に送信する制御信号送信部３４と、後述の移動機間の接続制御処理に関する制御情報や制御プログラム等を記憶するための記憶部３５とを含んで構成されている。
【００３４】
以下の各実施形態では、図１の移動機１０Ａを要求元移動機とし、他の移動機に対しブルートゥース通信の接続要求を行う各種の態様について順に説明する。なお、以下の図３〜図１０の説明では、移動機１０Ａを「端末Ａ」、移動機１０Ｂを「端末Ｂ」、移動機１０Ｃを「端末Ｃ」、移動機１０Ｄを「端末Ｄ」、移動機１０Ｅを「端末Ｅ」と、それぞれ称するものとする。
【００３５】
［第１実施形態］
第１実施形態では、図３を用いて、端末Ａが、図１のブルートゥース通信可能な領域Ｂ内に位置する端末Ｂ、Ｃとのブルートゥース通信の接続要求を行う場合について説明する。
【００３６】
まず、端末Ａが、接続相手となる相手先移動機（ここでは端末Ｂと端末Ｃ）の識別情報及び端末ＡのＢＤアドレスを含んだブルートゥース通信要求を管理サーバ３０に送信する（図３のＳ１０１）。管理サーバ３０は、上記ブルートゥース通信要求を受信して、要求元移動機である端末Ａ及び相手先移動機である端末Ｂ、Ｃの各々の位置情報を位置情報サーバ４０に問い合わせる（Ｓ１０２）。
【００３７】
そして、管理サーバ３０は、位置情報サーバ４０から端末Ａ、Ｂ、Ｃの位置情報の回答を受信すると（Ｓ１０３）、端末Ａ、Ｂ、Ｃが移動体通信網における同一エリア内に位置していると判断し、ブルートゥース通信が実行可能となるよう近距離無線通信部１１をオンにするとともに接続スキャンモードへ移行して端末Ｂ、Ｃからの接続要求の要求待ちを行うよう端末Ａに対し指示する（Ｓ１０４）。また、管理サーバ３０は、ブルートゥース通信が実行可能となるよう近距離無線通信部１１をオンにするとともに端末Ａへ接続要求するよう端末Ｂ、Ｃの各々に対し指示する（Ｓ１０５、Ｓ１０９）。このとき、管理サーバ３０は、接続要求先となる端末ＡのＢＤアドレス情報を含んだ指示情報を端末Ｂ、Ｃの各々に対し送信する。
【００３８】
Ｓ１０５での指示を受けた端末Ｂが、端末Ａに対しブルートゥース通信の接続要求を行うと（Ｓ１０６）、端末Ｂが図１の領域Ｂ内に位置するため、接続要求の要求待ちをしていた端末Ａは端末Ｂからの接続要求を受信してすぐに応答を返し（Ｓ１０７）、端末Ａ、Ｂ間のブルートゥース通信の接続が完了する（Ｓ１０８）。
【００３９】
同様に、Ｓ１０９での指示を受けた端末Ｃが、端末Ａに対しブルートゥース通信の接続要求を行うと（Ｓ１１０）、端末Ｃが図１の領域Ｂ内に位置するため、接続要求の要求待ちをしていた端末Ａは端末Ｃからの接続要求を受信してすぐに応答を返し（Ｓ１１１）、端末Ａ、Ｃ間のブルートゥース通信の接続が完了する（Ｓ１１２）。
【００４０】
以上のようにして、端末Ａは、ブルートゥース通信可能な領域Ｂ内に位置する端末Ｂ、Ｃとのブルートゥース通信の接続要求を管理サーバ３０に対し行うことで、端末Ａ、Ｂ間及び端末Ａ、Ｃ間のブルートゥース通信の接続を実現することができる。
【００４１】
また、上記処理によれば、端末Ａが接続要求した時点で端末Ｂ、Ｃがブルートゥース通信可能状態でなくとも、管理サーバ３０からの指示により端末Ｂ、Ｃはブルートゥース通信可能状態に変わるため、端末Ｂ、Ｃを常時、ブルートゥース通信可能状態にしておく必要はなくなる。よって、各移動機１０におけるセキュリティを高く維持して消費電力の節約を図りつつ、ブルートゥース通信の接続動作をスムーズに行うことができる。
【００４２】
なお、図３は、相手先移動機が複数台の場合を説明したが、相手先移動機が１台の場合も同様の手順で処理を行うことで、ブルートゥース通信の接続動作をスムーズに行うことができる。
【００４３】
また、図３のＳ１０４、Ｓ１０５、Ｓ１０９での接続要求の要求元と要求先を逆にしてもよい。即ち、管理サーバ３０は、端末Ｂ、Ｃに対し端末Ａからの接続要求の要求待ちを行うよう指示し、端末Ａに対し端末Ｂ、Ｃへ接続要求を行うよう指示してもよい。
【００４４】
［第２実施形態］
第２実施形態では、図４を用いて、端末Ａが、図１のブルートゥース通信可能な領域Ｂ内に位置する端末Ｂ、及び同一エリア内であるが上記領域Ｂの外側に位置する端末Ｄの各々とのブルートゥース通信の接続要求を行う場合について説明する。
【００４５】
まず、端末Ａが、接続相手となる相手先移動機（ここでは端末Ｂと端末Ｄ）の識別情報及び端末ＡのＢＤアドレスを含んだブルートゥース通信要求を管理サーバ３０に送信する（図４のＳ２０１）。管理サーバ３０は、上記ブルートゥース通信要求を受信して、要求元移動機である端末Ａ及び相手先移動機である端末Ｂ、Ｄの各々の位置情報を位置情報サーバ４０に問い合わせる（Ｓ２０２）。
【００４６】
そして、管理サーバ３０は、位置情報サーバ４０から端末Ａ、Ｂ、Ｄの位置情報の回答を受信すると（Ｓ２０３）、端末Ａ、Ｂ、Ｄが移動体通信網における同一エリア内に位置していると判断し、ブルートゥース通信が実行可能となるよう近距離無線通信部１１をオンにするとともに接続スキャンモードへ移行して端末Ｂ、Ｄからの接続要求の要求待ちを行うよう端末Ａに対し指示する（Ｓ２０４）。また、管理サーバ３０は、ブルートゥース通信が実行可能となるよう近距離無線通信部１１をオンにするとともに端末Ａへ接続要求するよう端末Ｂ、Ｄの各々に対し指示する（Ｓ２０５、Ｓ２０９）。このとき、管理サーバ３０は、接続要求先となる端末ＡのＢＤアドレス情報を含んだ指示情報を端末Ｂ、Ｄの各々に対し送信する。
【００４７】
Ｓ２０５での指示を受けた端末Ｂが、端末Ａに対しブルートゥース通信の接続要求を行うと（Ｓ２０６）、端末Ｂが図１の領域Ｂ内に位置するため、接続要求の要求待ちをしていた端末Ａは端末Ｂからの接続要求を受信してすぐに応答を返し（Ｓ２０７）、端末Ａ、Ｂ間のブルートゥース通信の接続が完了する（Ｓ２０８）。
【００４８】
同様に、Ｓ２０９での指示を受けた端末Ｄは、端末Ａに対しブルートゥース通信の接続要求を行う（Ｓ２１０）。しかし、端末Ｄは図１の領域Ｂの外側に位置するため、端末Ａは端末Ｄからの接続要求を受信できず、端末Ｄへ応答を返すことはない。
【００４９】
端末ＤはＳ２１０で接続要求した後、所定のタイマ（例えば３０秒タイマ）を起動している。ここでは、端末Ｄは端末Ａからの応答を受信できないので、上記タイマはタイムアウトすることとなり、端末Ｄは、端末Ａと接続できない旨のエラー通知を管理サーバ３０に対し行う（Ｓ２１１）。
【００５０】
なお、このとき端末Ｄと同様に、端末Ａにおいても、Ｓ２０４で端末Ｂ、Ｄからの接続要求の要求待ちを開始した後、所定のタイマ（例えば５分タイマ）を起動し、端末Ｂ、Ｄからの接続要求を受信する前に当該タイマがタイムアウトした場合に、接続要求を受信できない旨のエラー通知を管理サーバ３０に対して行ってもよい。
【００５１】
Ｓ２１１で端末Ｄからのエラー通知を受信した管理サーバ３０は、端末Ｄは端末Ａのブルートゥース通信可能領域Ｂ内に位置していないと判断するとともに、Ｓ２０３で端末Ａ、Ｂ、Ｄが移動体通信網における同一エリア内に位置していると判断しているため、端末Ａ、Ｄの各々に対しＩＰ網でお互いに接続要求するよう指示する（Ｓ２１２、Ｓ２１３）。これを受けて、端末Ａ、Ｄ間ではＩＰ網での接続が完了する（Ｓ２１４）。
【００５２】
以上のようにして、端末Ａは、ブルートゥース通信可能な領域Ｂ内に位置する端末Ｂとの間ではブルートゥース通信の接続を実現し、領域Ｂの外側に位置する端末Ｄとの間ではＩＰ網での接続を実現することができる。
【００５３】
なお、管理サーバ３０は、Ｓ２１１で端末Ｄからのエラー通知を受信した場合、当該端末Ｄと端末Ａとの接続を中止するよう制御信号を端末Ａ、Ｄへ送信してもよい。また、上記のようなエラー時の対応については、Ｓ２０１での端末Ａからの接続要求の中で、端末Ａ（要求元移動機）が指定するようにしてもよい。例えば、「ブルートゥース優先」と指定された場合、相手先移動機がブルートゥース通信可能な領域Ｂの外側であれば、当該相手先移動機とはＩＰ網での接続を行い、「ブルートゥースのみ」と指定された場合、相手先移動機がブルートゥース通信可能な領域Ｂの外側であれば、当該相手先移動機との接続を中止する実施態様を採用することができる。
【００５４】
［第３実施形態］
第３実施形態では、図５を用いて、端末Ａが、図１のブルートゥース通信可能な領域Ｂ内に位置する端末Ｂ、及び別のエリア内に位置する端末Ｅの各々とのブルートゥース通信の接続要求を行う場合について説明する。
【００５５】
まず、端末Ａが、接続相手となる相手先移動機（ここでは端末Ｂと端末Ｅ）の識別情報及び端末ＡのＢＤアドレスを含んだブルートゥース通信要求を管理サーバ３０に送信する（図５のＳ３０１）。管理サーバ３０は、上記ブルートゥース通信要求を受信して、要求元移動機である端末Ａ及び相手先移動機である端末Ｂ、Ｅの各々の位置情報を位置情報サーバ４０に問い合わせる（Ｓ３０２）。
【００５６】
そして、管理サーバ３０は、位置情報サーバ４０から端末Ａ、Ｂ、Ｅの位置情報の回答を受信すると（Ｓ３０３）、端末Ａ、Ｂは移動体通信網における同一エリア内に位置し端末Ｅは別のエリアに位置していると判断する。そして、管理サーバ３０は、この判断結果に基づいて、ブルートゥース通信が実行可能となるよう近距離無線通信部１１をオンにするとともに接続スキャンモードへ移行して端末Ｂからの接続要求の要求待ちを行うよう端末Ａに対し指示する（Ｓ３０４）。また、管理サーバ３０は、ブルートゥース通信が実行可能となるよう近距離無線通信部１１をオンにするとともに端末Ａへ接続要求するよう端末Ｂに対し指示する（Ｓ３０５）。このとき、管理サーバ３０は、接続要求先となる端末ＡのＢＤアドレス情報を含んだ指示情報を端末Ｂに対し送信する。
【００５７】
Ｓ３０５での指示を受けた端末Ｂが、端末Ａに対しブルートゥース通信の接続要求を行うと（Ｓ３０６）、端末Ｂが図１の領域Ｂ内に位置するため、接続要求の要求待ちをしていた端末Ａは端末Ｂからの接続要求を受信してすぐに応答を返し（Ｓ３０７）、端末Ａ、Ｂ間のブルートゥース通信の接続が完了する（Ｓ３０８）。
【００５８】
一方、端末Ｅは端末Ａと別のエリアに位置していると判断されるため、管理サーバ３０は、端末Ａ、Ｅの各々に対しＩＰ網でお互いに接続要求するよう指示する（Ｓ３０９、Ｓ３１０）。これを受けて、端末Ａ、Ｅ間ではＩＰ網での接続が完了する（Ｓ３１１）。
【００５９】
以上のようにして、端末Ａは、ブルートゥース通信可能な領域Ｂ内に位置する端末Ｂとの間ではブルートゥース通信の接続を実現し、端末Ａとは別のエリアに位置する端末Ｅとの間ではＩＰ網での接続を実現することができる。
【００６０】
なお、管理サーバ３０は、Ｓ３０３の後、端末Ｅが端末Ａとは別のエリアに位置していると判断した場合、当該端末Ｅと端末Ａとの接続を中止するよう制御信号を端末Ａ、Ｅへ送信してもよい。また、上記のようなエラー時の対応については、Ｓ３０１での端末Ａからの接続要求の中で、端末Ａ（要求元移動機）が指定するようにしてもよい。例えば、「ブルートゥース優先」と指定された場合、相手先移動機がブルートゥース通信可能な領域Ｂの外側であれば、当該相手先移動機とはＩＰ網での接続を行い、「ブルートゥースのみ」と指定された場合、相手先移動機がブルートゥース通信可能な領域Ｂの外側であれば、当該相手先移動機との接続を中止する実施態様を採用することができる。
【００６１】
［第４実施形態］
第４実施形態では、図６を用いて、管理サーバ３０が同一のリンクキーを、要求元移動機である端末Ａ及び相手先移動機である端末Ｂ、Ｃに送信することでセキュリティの強化を図る場合について説明する。
【００６２】
まず、端末Ａが、接続相手となる相手先移動機（ここでは端末Ｂと端末Ｃ）の識別情報及び端末ＡのＢＤアドレスを含んだブルートゥース通信要求を管理サーバ３０に送信する（図６のＳ４０１）。管理サーバ３０は、上記ブルートゥース通信要求を受信して、要求元移動機である端末Ａ及び相手先移動機である端末Ｂ、Ｃの各々の位置情報を位置情報サーバ４０に問い合わせる（Ｓ４０２）。
【００６３】
そして、管理サーバ３０は、位置情報サーバ４０から端末Ａ、Ｂ、Ｃの位置情報の回答を受信すると（Ｓ４０３）、端末Ａ、Ｂ、Ｃが移動体通信網における同一エリア内に位置していると判断する。そこで、管理サーバ３０は、ブルートゥース通信が実行可能となるよう近距離無線通信部１１をオンにするとともに接続スキャンモードへ移行して端末Ｂ、Ｃからの接続要求の要求待ちを行うよう端末Ａに対し指示する。また、このとき、管理サーバ３０は、端末Ｂ、Ｃの各々のＢＤアドレスを端末Ａに通知して当該端末Ｂ、Ｃからの接続要求のみを受け付けるよう指示するとともに、当該管理サーバ３０が生成した所定長（例えば１２８ビット）のリンクキーを端末Ａに通知する（Ｓ４０４）。
【００６４】
また、管理サーバ３０は、端末Ｂ、Ｃの各々に対し、ブルートゥース通信が実行可能となるよう近距離無線通信部１１をオンにするとともに端末Ａへ接続要求するよう指示する（Ｓ４０５、Ｓ４０９）。このとき、管理サーバ３０は、接続要求先となる端末ＡのＢＤアドレス情報を含んだ指示情報とともに、上記端末Ａに通知したものと同一のリンクキーを端末Ｂ、Ｃの各々に対し送信する。
【００６５】
Ｓ４０５での指示を受けた端末Ｂが、端末Ａに対しブルートゥース通信の接続要求を行うと（Ｓ４０６）、接続要求の要求待ちをしていた端末Ａは、当該接続要求の送信元が予め接続を許可された端末Ｂであることを端末Ｂとのリンクキーの交換・照合により確認し、当該端末Ｂからの接続要求を受信してすぐに応答を返し（Ｓ４０７）、端末Ａ、Ｂ間のブルートゥース通信の接続が完了する（Ｓ４０８）。
【００６６】
同様に、Ｓ４０９での指示を受けた端末Ｃが、端末Ａに対しブルートゥース通信の接続要求を行うと（Ｓ４１０）、接続要求の要求待ちをしていた端末Ａは、当該接続要求の送信元が予め接続を許可された端末Ｃであることを端末Ｃとのリンクキーの交換・照合により確認し、当該端末Ｃからの接続要求を受信してすぐに応答を返し（Ｓ４１１）、端末Ａ、Ｃ間のブルートゥース通信の接続が完了する（Ｓ４１２）。
【００６７】
以上のようにして、管理サーバ３０から通知された同一のリンクキーを用いて、端末Ａが、端末Ｂ、Ｃとの接続前に、当該端末Ｂ、Ｃが正規の許可された相手先移動機であることを確認できるため、ブルートゥース通信の接続におけるセキュリティの強化を図ることができる。
【００６８】
なお、上記のリンクキーは、ブルートゥース通信の接続要求がある度に管理サーバ３０により生成され、当該１回の接続要求処理の中でのみ使用される。
【００６９】
［第５実施形態］
第５実施形態では、図７を用いて、要求元移動機である端末Ａが、リンクキーを生成し、管理サーバ３０を介して当該リンクキーを相手先移動機である端末Ｂ、Ｃに送信することでセキュリティの強化を図る場合について説明する。
【００７０】
まず、端末Ａが、今回の接続要求処理で使用される所定長（例えば１２８ビット）のリンクキーを生成して暗号化し、接続相手となる相手先移動機（ここでは端末Ｂと端末Ｃ）の識別情報、端末ＡのＢＤアドレス、及び暗号化されたリンクキーを含んだブルートゥース通信要求を管理サーバ３０に送信する（図７のＳ５０１）。管理サーバ３０は、上記ブルートゥース通信要求を受信して、要求元移動機である端末Ａ及び相手先移動機である端末Ｂ、Ｃの各々の位置情報を位置情報サーバ４０に問い合わせる（Ｓ５０２）。
【００７１】
そして、管理サーバ３０は、位置情報サーバ４０から端末Ａ、Ｂ、Ｃの位置情報の回答を受信すると（Ｓ５０３）、端末Ａ、Ｂ、Ｃが移動体通信網における同一エリア内に位置していると判断する。そこで、管理サーバ３０は、ブルートゥース通信が実行可能となるよう近距離無線通信部１１をオンにするとともに接続スキャンモードへ移行して端末Ｂ、Ｃからの接続要求の要求待ちを行うよう端末Ａに対し指示する。また、このとき、管理サーバ３０は、端末Ｂ、Ｃの各々のＢＤアドレスを端末Ａに通知して当該端末Ｂ、Ｃからの接続要求のみを受け付けるよう端末Ａに指示する（Ｓ５０４）。
【００７２】
また、管理サーバ３０は、端末Ｂ、Ｃの各々に対し、ブルートゥース通信が実行可能となるよう近距離無線通信部１１をオンにするとともに端末Ａへ接続要求するよう指示する（Ｓ５０５、Ｓ５０９）。このとき、管理サーバ３０は、接続要求先となる端末ＡのＢＤアドレス情報を含んだ指示情報とともに、端末Ａからの暗号化リンクキーを復号したキー情報を端末Ｂ、Ｃの各々に対し送信する。
【００７３】
Ｓ５０５での指示を受けた端末Ｂが、端末Ａに対しブルートゥース通信の接続要求を行うと（Ｓ５０６）、接続要求の要求待ちをしていた端末Ａは、当該接続要求の送信元が予め接続を許可された端末Ｂであることを端末Ｂとのリンクキーの交換・照合により確認し、当該端末Ｂからの接続要求を受信してすぐに応答を返し（Ｓ５０７）、端末Ａ、Ｂ間のブルートゥース通信の接続が完了する（Ｓ５０８）。
【００７４】
同様に、Ｓ５０９での指示を受けた端末Ｃが、端末Ａに対しブルートゥース通信の接続要求を行うと（Ｓ５１０）、接続要求の要求待ちをしていた端末Ａは、当該接続要求の送信元が予め接続を許可された端末Ｃであることを端末Ｃとのリンクキーの交換・照合により確認し、当該端末Ｃからの接続要求を受信してすぐに応答を返し（Ｓ５１１）、端末Ａ、Ｃ間のブルートゥース通信の接続が完了する（Ｓ５１２）。
【００７５】
以上のようにして、端末Ａから通知された同一のリンクキーを用いて、端末Ａが、端末Ｂ、Ｃとの接続前に、当該端末Ｂ、Ｃが正規の許可された相手先移動機であることを確認できるため、ブルートゥース通信の接続におけるセキュリティの強化を図ることができる。
【００７６】
なお、上記のリンクキーは、ブルートゥース通信の接続要求がある度に管理サーバ３０により生成され、当該１回の接続要求処理の中でのみ使用される。
【００７７】
［第６実施形態］
第６実施形態では、図８を用いて、管理サーバ３０が、位置情報サーバ４０からでなく、端末Ａ、Ｂ、Ｃからそれぞれのエリア情報を取得する場合について説明する。
【００７８】
まず、端末Ａが、今回の接続要求処理で使用される所定長（例えば１２８ビット）のリンクキーを生成して暗号化し、接続相手となる相手先移動機（ここでは端末Ｂと端末Ｃ）の識別情報、端末ＡのＢＤアドレス、暗号化されたリンクキー、及び端末Ａが属するエリア情報を含んだブルートゥース通信要求を管理サーバ３０に送信する（図８のＳ６０１）。管理サーバ３０は、上記ブルートゥース通信要求を受信すると、相手先移動機である端末Ｂに対し当該端末Ｂが属するエリア情報を問い合わせて（Ｓ６０２）、その回答を得る（Ｓ６０３）。同様に、管理サーバ３０は、相手先移動機である端末Ｃに対し当該端末Ｃが属するエリア情報を問い合わせて（Ｓ６０４）、その回答を得る（Ｓ６０５）。以上により管理サーバ３０は、端末Ａ、Ｂ、Ｃのエリア情報を取得することができ、当該エリア情報より端末Ａ、Ｂ、Ｃが移動体通信網における同一エリア内に位置していると判断する。
【００７９】
そこで、管理サーバ３０は、ブルートゥース通信が実行可能となるよう近距離無線通信部１１をオンにするとともに接続スキャンモードへ移行して端末Ｂ、Ｃからの接続要求の要求待ちを行うよう端末Ａに対し指示する。また、このとき、管理サーバ３０は、端末Ｂ、Ｃの各々のＢＤアドレスを端末Ａに通知して当該端末Ｂ、Ｃからの接続要求のみを受け付けるよう端末Ａに指示する（Ｓ６０６）。
【００８０】
また、管理サーバ３０は、端末Ｂ、Ｃの各々に対し、ブルートゥース通信が実行可能となるよう近距離無線通信部１１をオンにするとともに端末Ａへ接続要求するよう指示する（Ｓ６０７、Ｓ６１１）。このとき、管理サーバ３０は、接続要求先となる端末ＡのＢＤアドレス情報を含んだ指示情報とともに、端末Ａからの暗号化リンクキーを復号したキー情報を端末Ｂ、Ｃの各々に対し送信する。
【００８１】
Ｓ６０７での指示を受けた端末Ｂが、端末Ａに対しブルートゥース通信の接続要求を行うと（Ｓ６０８）、接続要求の要求待ちをしていた端末Ａは、当該接続要求の送信元が予め接続を許可された端末Ｂであることを端末Ｂとのリンクキーの交換・照合により確認し、当該端末Ｂからの接続要求を受信してすぐに応答を返し（Ｓ６０９）、端末Ａ、Ｂ間のブルートゥース通信の接続が完了する（Ｓ６１０）。
【００８２】
同様に、Ｓ６１１での指示を受けた端末Ｃが、端末Ａに対しブルートゥース通信の接続要求を行うと（Ｓ６１２）、接続要求の要求待ちをしていた端末Ａは、当該接続要求の送信元が予め接続を許可された端末Ｃであることを端末Ｃとのリンクキーの交換・照合により確認し、当該端末Ｃからの接続要求を受信してすぐに応答を返し（Ｓ６１３）、端末Ａ、Ｃ間のブルートゥース通信の接続が完了する（Ｓ６１４）。
【００８３】
以上のようにして、管理サーバ３０は、位置情報サーバ４０からでなく、端末Ａ、Ｂ、Ｃからそれぞれのエリア情報を取得することで、当該エリア情報より端末Ａ、Ｂ、Ｃが移動体通信網における同一エリア内に位置していると判断することができ、当該同一エリア内の端末Ａ、Ｂ間の接続動作及び端末Ａ、Ｃ間の接続動作をスムーズに行うことができる。
【００８４】
［第７実施形態］
第７実施形態では、図９を用いて、管理サーバ３０が、位置情報サーバ４０からでなく、端末Ａ、Ｂ、Ｃの各々の位置測定部２０（図２）でのＧＰＳによる測定で得られた位置情報（以下、ＧＰＳ位置情報という）を取得する場合について説明する。
【００８５】
まず、端末Ａが、今回の接続要求処理で使用される所定長（例えば１２８ビット）のリンクキーを生成して暗号化し、接続相手となる相手先移動機（ここでは端末Ｂと端末Ｃ）の識別情報、端末ＡのＢＤアドレス、暗号化されたリンクキー、及び位置測定部２０による測定で得られたＧＰＳ位置情報を含んだブルートゥース通信要求を管理サーバ３０に送信する（図９のＳ７０１）。管理サーバ３０は、上記ブルートゥース通信要求を受信すると、相手先移動機である端末Ｂに対し当該端末ＢのＧＰＳ位置情報を問い合わせて（Ｓ７０２）、その回答を得る（Ｓ７０３）。同様に、管理サーバ３０は、相手先移動機である端末Ｃに対し当該端末ＣのＧＰＳ位置情報を問い合わせて（Ｓ７０４）、その回答を得る（Ｓ７０５）。以上により管理サーバ３０は、端末Ａ、Ｂ、ＣのＧＰＳ位置情報を取得することができ、当該ＧＰＳ位置情報より端末Ｂ、Ｃの各々が端末Ａから例えば１０メートルから１００メートル以内に位置していることを確認する。この確認がとれたことをもって、管理サーバ３０は、端末Ａ、Ｂ、Ｃが移動体通信網における同一エリア内に位置しているものと判断する。
【００８６】
そこで、管理サーバ３０は、ブルートゥース通信が実行可能となるよう近距離無線通信部１１をオンにするとともに接続スキャンモードへ移行して端末Ｂ、Ｃからの接続要求の要求待ちを行うよう端末Ａに対し指示する。また、このとき、管理サーバ３０は、端末Ｂ、Ｃの各々のＢＤアドレスを端末Ａに通知して当該端末Ｂ、Ｃからの接続要求のみを受け付けるよう端末Ａに指示する（Ｓ７０６）。
【００８７】
また、管理サーバ３０は、端末Ｂ、Ｃの各々に対し、ブルートゥース通信が実行可能となるよう近距離無線通信部１１をオンにするとともに端末Ａへ接続要求するよう指示する（Ｓ７０７、Ｓ７１１）。このとき、管理サーバ３０は、接続要求先となる端末ＡのＢＤアドレス情報を含んだ指示情報とともに、端末Ａからの暗号化リンクキーを復号したキー情報を端末Ｂ、Ｃの各々に対し送信する。
【００８８】
Ｓ７０７での指示を受けた端末Ｂが、端末Ａに対しブルートゥース通信の接続要求を行うと（Ｓ７０８）、接続要求の要求待ちをしていた端末Ａは、当該接続要求の送信元が予め接続を許可された端末Ｂであることを端末Ｂとのリンクキーの交換・照合により確認し、当該端末Ｂからの接続要求を受信してすぐに応答を返し（Ｓ７０９）、端末Ａ、Ｂ間のブルートゥース通信の接続が完了する（Ｓ７１０）。
【００８９】
同様に、Ｓ７１１での指示を受けた端末Ｃが、端末Ａに対しブルートゥース通信の接続要求を行うと（Ｓ７１２）、接続要求の要求待ちをしていた端末Ａは、当該接続要求の送信元が予め接続を許可された端末Ｃであることを端末Ｃとのリンクキーの交換・照合により確認し、当該端末Ｃからの接続要求を受信してすぐに応答を返し（Ｓ７１３）、端末Ａ、Ｃ間のブルートゥース通信の接続が完了する（Ｓ７１４）。
【００９０】
以上のようにして、管理サーバ３０は、位置情報サーバ４０からでなく、端末Ａ、Ｂ、ＣからそれぞれのＧＰＳ位置情報を取得することで、当該ＧＰＳ位置情報より所定の基準に照らして端末Ａ、Ｂ、Ｃが移動体通信網における同一エリア内に位置していると判断することができ、当該同一エリア内の端末Ａ、Ｂ間の接続動作及び端末Ａ、Ｃ間の接続動作をスムーズに行うことができる。
【００９１】
［第８実施形態］
第８実施形態では、図１０を用いて、要求元移動機である端末Ａが、ブルートゥース通信の接続をした後に実行する予定のアプリケーションを接続要求時に指定する場合について説明する。
【００９２】
まず、端末Ａが、今回の接続要求処理で使用される所定長（例えば１２８ビット）のリンクキーを生成して暗号化し、接続相手となる相手先移動機（ここでは端末Ｂと端末Ｃ）の識別情報、端末ＡのＢＤアドレス、暗号化されたリンクキー、及び実行予定のアプリケーションを特定する情報（例えば、当該アプリケーションの識別番号又はダウンロード元のアドレス（ＵＲＬ：Universal Resource Locator）等）を含んだブルートゥース通信要求を管理サーバ３０に送信する（図１０のＳ８０１）。管理サーバ３０は、上記ブルートゥース通信要求を受信して、要求元移動機である端末Ａ及び相手先移動機である端末Ｂ、Ｃの各々の位置情報を位置情報サーバ４０に問い合わせる（Ｓ８０２）。
【００９３】
そして、管理サーバ３０は、位置情報サーバ４０から端末Ａ、Ｂ、Ｃの位置情報の回答を受信すると（Ｓ８０３）、端末Ａ、Ｂ、Ｃが移動体通信網における同一エリア内に位置していると判断する。そこで、管理サーバ３０は、ブルートゥース通信が実行可能となるよう近距離無線通信部１１をオンにするとともに接続スキャンモードへ移行して端末Ｂ、Ｃからの接続要求の要求待ちを行うよう端末Ａに対し指示する。また、このとき、管理サーバ３０は、端末Ｂ、Ｃの各々のＢＤアドレスを端末Ａに通知して当該端末Ｂ、Ｃからの接続要求のみを受け付けるよう端末Ａに指示する（Ｓ８０４）。
【００９４】
また、管理サーバ３０は、端末Ｂ、Ｃの各々に対し、ブルートゥース通信が実行可能となるよう近距離無線通信部１１をオンにするとともに端末Ａへ接続要求するよう指示する（Ｓ８０５、Ｓ８０９）。このとき、管理サーバ３０は、接続要求先となる端末ＡのＢＤアドレス情報を含んだ指示情報とともに、端末Ａからの暗号化リンクキーを復号したキー情報及び実行予定のアプリケーション情報を端末Ｂ、Ｃの各々に対し送信する。
【００９５】
Ｓ８０５での指示を受けた端末Ｂは、実行予定のアプリケーションを既に記憶部１９に保有しているか否かを判断する（図１０には省略）。ここで、端末Ｂは既に当該アプリケーションを保有しているものとする。
【００９６】
そこで、端末Ｂは、端末Ａに対しブルートゥース通信の接続要求を行うと（Ｓ８０６）、接続要求の要求待ちをしていた端末Ａは、当該接続要求の送信元が予め接続を許可された端末Ｂであることを端末Ｂとのリンクキーの交換・照合により確認し、当該端末Ｂからの接続要求を受信してすぐに応答を返し（Ｓ８０７）、端末Ａ、Ｂ間のブルートゥース通信の接続が完了する（Ｓ８０８）。
【００９７】
また同様に、Ｓ８０９での指示を受けた端末Ｃも、実行予定のアプリケーションを既に記憶部１９に保有しているか否かを判断する（Ｓ８１０）。ここで、端末Ｃは当該アプリケーションを保有していないものとする。そこで、端末Ｃは、ダウンロード部１５によって、当該アプリケーションを移動体通信網内のアプリケーションサーバ（不図示）からダウンロードする（Ｓ８１１）。
【００９８】
そして、端末Ｃは、端末Ａに対しブルートゥース通信の接続要求を行うと（Ｓ８１２）、接続要求の要求待ちをしていた端末Ａは、当該接続要求の送信元が予め接続を許可された端末Ｃであることを端末Ｃとのリンクキーの交換・照合により確認し、当該端末Ｃからの接続要求を受信してすぐに応答を返し（Ｓ８１３）、端末Ａ、Ｃ間のブルートゥース通信の接続が完了する（Ｓ８１４）。
【００９９】
以上のようにして、要求元移動機の端末Ａから、接続要求とともに実行予定のアプリケーション情報を通知することで、端末Ｂ、Ｃにおいて自機が当該アプリケーションを既に記憶部１９に保有しているか否かを判断することができ、保有していない場合には当該アプリケーションを自動的にダウンロードすることができるので、ブルートゥース通信の接続後にアプリケーションの実行へ円滑に移行することができる。即ち、相手先移動機（端末Ｂ、Ｃ）が、実行予定のアプリケーションを保有していなくとも、ブルートゥース通信の接続後に無駄な通信中断が発生することを回避することができる。
【図面の簡単な説明】
【０１００】
【図１】発明の実施形態に係る通信システムの構成図である。
【図２】管理サーバ及び移動機の構成図である。
【図３】第１実施形態における処理の流れを示すフロー図である。
【図４】第２実施形態における処理の流れを示すフロー図である。
【図５】第３実施形態における処理の流れを示すフロー図である。
【図６】第４実施形態における処理の流れを示すフロー図である。
【図７】第５実施形態における処理の流れを示すフロー図である。
【図８】第６実施形態における処理の流れを示すフロー図である。
【図９】第７実施形態における処理の流れを示すフロー図である。
【図１０】第８実施形態における処理の流れを示すフロー図である。
【符号の説明】
【０１０１】
１…通信システム、１０…移動機、１１…近距離無線通信部、１２…移動体通信部、１３…要求送信部、１４…保有判断部、１５…ダウンロード部、１６…入力部、１７…表示部、１８…音声処理部、１９…記憶部、２０…位置測定部、３０…管理サーバ、３１…要求受信部、３２…位置抽出部、３３…判断部、３４…制御信号送信部、３５…記憶部、４０…位置情報サーバ、５０Ａ、５０Ｂ…基地局。
【図１】
2005223636.tif 000003
【図２】
2005223636.tif 000004
【図３】
2005223636.tif 000005
【図４】
2005223636.tif 000006
【図５】
2005223636.tif 000007
【図６】
2005223636.tif 000008
【図７】
2005223636.tif 000009
【図８】
2005223636.tif 000010
【図９】
2005223636.tif 000011
【図１０】
2005223636.tif 000012